【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】
遊技機の備える前枠が不正に開放されるのを防止する遊技機用の不正開放防止装置であって、
一端が前記前枠に連結されるワイヤと、
該ワイヤの他端が連結され、前記前枠を閉じるときには順方向へ回転して前記ワイヤを巻き取る一方、前記前枠を開くときには逆方向へ回転して前記ワイヤを繰り出すリールと、
任意に湾曲させて配設可能で、前記ワイヤの前記リールから繰り出された部分が内部を貫通するチューブと、
前記リールの前記逆方向への回転を阻止するロック状態、または前記リールの前記逆方向への回転を阻止しないアンロック状態のいずれかに切り替わるロック機構と、
前記ワイヤの切断を検知する断線検知手段とを備え、
前記断線検知手段は、
第１の位置または第２の位置へ移動する移動体と、
該移動体を前記第２の位置へ移動させるように付勢する付勢部材と、
前記移動体が前記第１の位置から前記第２の位置へ移動するのに伴ってオン／オフが切り替わるスイッチとを備えてなり、
前記ワイヤが切断されていない状態では、前記リールが順方向へ回転するのに伴って前記ワイヤに張力がかかり、該ワイヤが前記付勢部材の付勢力に抗して前記移動体を前記第１の位置に移動させる一方、前記ワイヤが切断された状態になると、前記ワイヤに張力がかからなくなり、前記移動体が前記付勢部材の付勢力によって前記ワイヤを強制的にたるませて前記第２の位置に移動するように構成されている
ことを特徴とする遊技機用の不正開放防止装置。
【請求項２】
前記リールを収納したケースと、前記ケースと前記チューブとを接続する接続具とを備え、
前記接続具の内面には、前記ワイヤの前記一端側ほど内径が小さくて前記他端側ほど内径が大きいテーパ面が形成されている
ことを特徴とする請求項１に記載の遊技機用の不正開放防止装置。
【請求項３】
前記ロック機構は、
前記リールに固定されて前記リールとともに回転する爪車と、前記爪車外周部の爪に引っかかるピンとを備え、
前記ピンは、スライド動作可能な第２スライダーに固定され、
前記第２スライダーは、ソレノイドのプランジャに連結されるとともに、前記ソレノイドが備えるコイルスプリングによって一方向に付勢され、
前記ソレノイドが非励磁状態の時は、前記コイルスプリングから受ける力によって、前記第２スライダーとともに、前記ピンが前記爪車に当接する位置へと変位する一方、前記ソレノイドが励磁状態の時は、前記プランジャから受ける力によって、前記第２スライダーとともに、前記ピンは前記爪車に接触しない位置へと変位する構造で、
前記ピンが前記爪車に当接する位置へと変位した際に、前記爪車を順方向へ回転させようとすると、前記爪車は、前記第２スライダーのスライド方向に作用する分力が前記コイルスプリングの付勢力よりも大きくなるような傾きを持つ端面で前記ピンに当接し、前記ピンおよび前記第２スライダーは、前記コイルスプリングの付勢力に抗してスライドし、前記爪車の順方向への回転は阻止されず、前記リールの順方向への回転は阻止されない状態になり、
一方、前記ピンが前記爪車に当接する位置へと変位した際に、前記爪車を逆方向へ回転させようとすると、前記爪車が、前記第２スライダーのスライド方向に作用する分力が前記コイルスプリングの付勢力よりも小さくなるような傾きを持つ端面で前記ピンに当接し、前記ピンおよび前記第２スライダーはスライドせず、前記爪車の逆方向への回転が阻止され、前記リールの逆方向への回転が阻止される状態になり、
さらに、前記ピンが前記爪車に接触しない位置へと変位した際には、前記爪車は順逆両方向に回転することができ、前記リールの逆方向への回転が阻止されない状態になる
ことを特徴とする請求項１または請求項２に記載の遊技機用の不正開放防止装置。
【請求項４】
前記ピンが前記爪車に接触しない位置へと変位した際に前記第２スライダーが当接する位置に、第２リミットスイッチが組み込まれ、前記第２リミットスイッチにより、前記第２スライダーがスライドしたかどうかを検出可能に構成されている
ことを特徴とする請求項１〜請求項３に記載の遊技機用の不正開放防止装置。
【請求項５】
請求項１〜請求項４のいずれかに記載の遊技機用の不正開放防止装置を備えていることを特徴とする遊技場の島設備。
【手続補正２】
【補正対象書類名】明細書
【補正対象項目名】００１０
【補正方法】変更
【補正の内容】
【００１０】
【課題を解決するための手段、および発明の効果】
上記目的を達成するため、本発明においては、請求項１に記載の如き構成を採用した。
すなわち、請求項１に記載の発明は、
遊技機の備える前枠が不正に開放されるのを防止する遊技機用の不正開放防止装置であって、
一端が前記前枠に連結されるワイヤと、
該ワイヤの他端が連結され、前記前枠を閉じるときには順方向へ回転して前記ワイヤを巻き取る一方、前記前枠を開くときには逆方向へ回転して前記ワイヤを繰り出すリールと、
任意に湾曲させて配設可能で、前記ワイヤの前記リールから繰り出された部分が内部を貫通するチューブと、
前記リールの前記逆方向への回転を阻止するロック状態、または前記リールの前記逆方向への回転を阻止しないアンロック状態のいずれかに切り替わるロック機構と、
前記ワイヤの切断を検知する断線検知手段とを備え、
前記断線検知手段は、
第１の位置または第２の位置へ移動する移動体と、
該移動体を前記第２の位置へ移動させるように付勢する付勢部材と、
前記移動体が前記第１の位置から前記第２の位置へ移動するのに伴ってオン／オフが切り替わるスイッチとを備えてなり、
前記ワイヤが切断されていない状態では、前記リールが順方向へ回転するのに伴って前記ワイヤに張力がかかり、該ワイヤが前記付勢部材の付勢力に抗して前記移動体を前記第１の位置に移動させる一方、前記ワイヤが切断された状態になると、前記ワイヤに張力がかからなくなり、前記移動体が前記付勢部材の付勢力によって前記ワイヤを強制的にたるませて前記第２の位置に移動するように構成されている
ことを特徴とする。
【手続補正３】
【補正対象書類名】明細書
【補正対象項目名】００２２
【補正方法】変更
【補正の内容】
【００２２】
このような問題にも対処するため、上記請求項１に記載の発明は、前記ワイヤの切断を検知する断線検知手段を備えている。
【手続補正４】
【補正対象書類名】明細書
【補正対象項目名】００２３
【補正方法】変更
【補正の内容】
【００２３】
より詳しくは、この遊技機用の不正開放防止装置において、断線検知手段は、第１の位置または第２の位置へ移動する移動体と、該移動体を前記第２の位置へ移動させるように付勢する付勢部材と、前記移動体が前記第１の位置から前記第２の位置へ移動するのに伴ってオン／オフが切り替わるスイッチとを備えてなり、前記ワイヤが切断されていない状態では、前記リールが順方向へ回転するのに伴って前記ワイヤに張力がかかり、該ワイヤが前記付勢部材の付勢力に抗して前記移動体を前記第１の位置に移動させる一方、前記ワイヤが切断された状態になると、前記ワイヤに張力がかからなくなり、前記移動体が前記付勢部材の付勢力によって前記ワイヤを強制的にたるませて前記第２の位置に移動するように構成されている。このような構成を採用すれば、ワイヤの切断に伴って、ワイヤのたるみがどの程度発生するか定かでない場合でも、前述の如き移動体と付勢部材とを用いて、付勢部材の力で移動する移動する移動体をワイヤに当接させてワイヤを強制的にたるませることができるので、移動体が移動したことをもって、ワイヤのたるみ（切断）が発生したことを検知することができる。
【手続補正５】
【補正対象書類名】明細書
【補正対象項目名】００３１
【補正方法】変更
【補正の内容】
【００３１】
なお、本発明の遊技機用の不正開放防止装置は、請求項２に記載の如く、前記リールを収納したケースと、前記ケースと前記チューブとを接続する接続具とを備え、前記接続具の内面には、前記ワイヤの前記一端側ほど内径が小さくて前記他端側ほど内径が大きいテーパ面が形成されているとよい。
また、、請求項３に記載の如く、本発明の遊技機用の不正開放防止装置において、前記ロック機構は、前記リールに固定されて前記リールとともに回転する爪車と、前記爪車外周部の爪に引っかかるピンとを備え、前記ピンは、スライド動作可能な第２スライダーに固定され、前記第２スライダーは、ソレノイドのプランジャに連結されるとともに、前記ソレノイドが備えるコイルスプリングによって一方向に付勢され、前記ソレノイドが非励磁状態の時は、前記コイルスプリングから受ける力によって、前記第２スライダーとともに、前記ピンが前記爪車に当接する位置へと変位する一方、前記ソレノイドが励磁状態の時は、前記プランジャから受ける力によって、前記第２スライダーとともに、前記ピンは前記爪車に接触しない位置へと変位する構造で、前記ピンが前記爪車に当接する位置へと変位した際に、前記爪車を順方向へ回転させようとすると、前記爪車は、前記第２スライダーのスライド方向に作用する分力が前記コイルスプリングの付勢力よりも大きくなるような傾きを持つ端面で前記ピンに当接し、前記ピンおよび前記第２スライダーは、前記コイルスプリングの付勢力に抗してスライドし、前記爪車の順方向への回転は阻止されず、前記リールの順方向への回転は阻止されない状態になり、一方、前記ピンが前記爪車に当接する位置へと変位した際に、前記爪車を逆方向へ回転させようとすると、前記爪車が、前記第２スライダーのスライド方向に作用する分力が前記コイルスプリングの付勢力よりも小さくなるような傾きを持つ端面で前記ピンに当接し、前記ピンおよび前記第２スライダーはスライドせず、前記爪車の逆方向への回転が阻止され、前記リールの逆方向への回転が阻止される状態になり、さらに、前記ピンが前記爪車に接触しない位置へと変位した際には、前記爪車は順逆両方向に回転することができ、前記リールの逆方向への回転が阻止されない状態になるものであるとよい。
また、本発明の遊技機用の不正開放防止装置は、請求項４に記載の如く、前記ピンが前記爪車に接触しない位置へと変位した際に前記第２スライダーが当接する位置に、第２リミットスイッチが組み込まれ、前記第２リミットスイッチにより、前記第２スライダーがスライドしたかどうかを検出可能に構成されているとよい。
さらに、以上説明した遊技機用の不正開放防止装置は、一つの独立した装置として構成し、後付で遊技機や島設備に付加するように構成してあってもよいが、初めから島設備の一部として組み込まれていてもよい。
すなわち、請求項１〜請求項５のいずれかに記載の遊技機用の不正開放防止装置を備えている遊技場の島設備として提供することも可能である。
【手続補正６】
【補正対象書類名】明細書
【補正対象項目名】００５７
【補正方法】削除
【補正の内容】